(57)【要約】      （修正有）【課題】磁気記録カードや非接触式ＩＣカード等の情報・データを非接触スキミング方式の犯罪から確実に保護することを目的とする。【解決手段】スキミング防止バック１０は、皮革や布地からなるバック本体１２と、バック本体１２の内部に設けられた裏地１４と、バック本体１２と裏地１４との間に設けられた内ポケットと、内ポケットのバック本体１２の一側面に縫い付けられた芯地と、芯地のバック本体１２の一側面に縫い付けられたスキミング防止シート２０から概略構成されている。【選択図】図１
0003134895.tif 000002
【実用新案登録請求の範囲】
【請求項１】
バック本体の内部に設けられた裏地に形成される内ポケットの一側面に、スキミング防止シートが設けられたことを特徴とするスキミング防止バック。
【請求項２】
前記スキミング防止シートは、前記内ポケットの一側面に縫い付けられる芯地に縫い付けられていることを特徴とする請求項１に記載のスキミング防止バック。
【考案の詳細な説明】
【技術分野】
【０００１】  この考案は、携帯中のクレジットカード等の磁気カードや非接触式ＩＣカード等から情報をスキミングされることを防止するスキミング防止バックに関するものである。
【背景技術】
【０００２】  最近、財布やバッグ等に入れてあるキャッシュカード、クレジットカード等の磁気記録カードや非接触式ＩＣカード等の情報・データが、財布やバッグ等の外部から特殊な読取装置によって不正に読み取られる（盗み取られる）という、いわゆる非接触スキミング方式の犯罪が横行し、重大且つ深刻な社会問題となっている。このようなスキミングの横行は、財布やバッグ等が皮革材、プラスチック材、布材等の非磁性材料で形成されていて、財布やバッグ等に収納されている磁気記録カードの磁気が外部へ出易く、また外部からの磁気が侵入し易い状態にあることによるものである。【０００３】  このような磁気記録カードや非接触型ＩＣカードに記録された内部データの不正読み出しや改ざん、あるいは内部回路の破壊が行われることを防止するために、例えば特許文献１や特許文献２などに開示されるように、磁気記録カード等の大きさに合わせて作製した電磁波遮蔽用紙とを重ね合わせた状態でラミネートフィルムの袋に封入することも提案されている。
【特許文献１】  特開平１０−２９３８２７号公報
【特許文献２】  実用新案登録第３０９９５９４号公報
【０００４】  しかしながら、日常行動の実態に照らせば、磁気記録カード等をその使用の度にラミネートフィルムからなる袋から出し入れすることは煩雑であり、通常はカードケース等にいれた状態でバックに収納して持ち運ぶことが極めて多い。このため、磁気記録カード等の情報がバックの外からスキミングされて被害に遭うことが十分考えられる。
【考案の開示】
【考案が解決しようとする課題】
【０００５】  この考案は、上述した課題を解決するために、バッグに入れた状態にある磁気記録カード等の情報・データを、上記のような非接触スキミング方式の犯罪から守ることができるようにしたバッグを提供することを目的とする。
【課題を解決するための手段】
【０００６】  上述の課題を解決し、目的を達成するために、この考案のスキミング防止バックは、請求項１の記載によると、バック本体の内部に設けられた裏地に形成される内ポケットの一側面に、スキミング防止シートが設けられたことを特徴とする。【０００７】  また、この考案のスキミング防止バックは、請求項２の記載によると、前記スキミング防止シートは、前記内ポケットの一側面に縫い付けられる芯地に縫い付けられていることを特徴とする。
【考案の効果】
【０００８】  この考案により、金属シート等からなるスキミング防止シートの磁気シールドがバックの外部からのスキミングを防止し、磁気記録カード等の情報・データの漏洩を防止することが可能となる。
【考案を実施するための最良の形態】
【０００９】  この考案の実施の具体的形態例を、図１及び図２を用いて以下に説明する。
なお、この考案を実施するための最良の形態で説明する素材や手段等はこれに限定されるものではなく、その目的が達成されれば、どのようなものでも良いことは言うまでもない。【００１０】  図１は、この考案におけるスキミング防止バック１０の斜視図である。図２はスキミング防止バック１０の内部の内ポケットの断面図である。【００１１】  図１及び図２によると、この考案におけるスキミング防止バック１０は、皮革や布地からなるバック本体１２と、バック本体１２の内部に設けられ、バック本体１２の開口部に内側から縫い付けられた裏地１４と、バック本体１２と裏地１４との間に設けられた内ポケット１８とから概略構成されている。【００１２】  また、内ポケット１８は袋状となっており、その開口部が裏地１４に設けられた切り口にファスナ１６を介して縫い付けられている。また、内ポケット１８のバック本体１２の側の一側面には、内ポケットの補強のための芯地１９が縫いつけられている。【００１３】  また、芯地１９のバック本体１２の側の一側面には、スキミング防止シート２０が縫いつけられている。このスキミング防止シート２０は、例えば、強磁性材料の鉄・ニッケル合金からなる、厚さが例えば０．０１ｍｍ〜０．０５ｍｍ程度の薄板材料によって形成されたものである。また、このスキミング防止シート２０としては、このような薄板材料に限らず、メッシュ材料に形成されたものでもよいし、またニッケル、鉄、珪素鋼、ステンレスあるいはアルモファス合金からなる薄板材料、メッシュ材料、もしくは繊維材料によって形成されたものでもよい。【００１４】  このような構成からなるこの考案のスキミング防止バック１０の内ポケット２０に磁気記録カード等を収納した場合、スキミング防止シート２０によって、外部に対し磁気遮蔽されることになる。即ち、スキミング防止バック１０の外部からスキミングを試みようとしてスキマーを近づけても、スキミング防止バック１０とスキマーの間が磁気遮蔽されているので、スキマーによって磁気記録カード等に記録されている磁気記録情報を読み取ることができず、スキミングを阻止することができる。【００１５】  また、この考案のスキミング防止シート２０は、芯地１９に縫いつけられた一側面とは反対の側面（図１におけるスキミング防止シート２０のがわと反対の側）からの磁気も遮断するため、スキマーをスキミング防止バック１０のどの側から近づけてもスキミングを阻止することができる。【００１６】  以上のように、この考案のスキミング防止バック１０により、内ポケット１８内に収納されたキャッシュカードやクレジットカード等の磁気記録カードや非接触式ＩＣカード等の情報・データを非接触スキミング方式の犯罪から確実に保護することができる。
【産業上の利用可能性】
【００１７】  この考案のスキミング防止バック１０は、バック（かばん類、袋物）で説明を行ったが、内ポケットまたは内ポケットに該当する仕切り（間仕切り）を持つ財布等に用いることが可能であることはいうまでもない。
【図面の簡単な説明】
【００１８】
【図１】  この考案におけるスキミング防止バック１０の斜視図。
【図２】  スキミング防止バック１０内の内ポケット１８の断面図。
【符号の説明】
【００１９】１０・・スキミング防止バック、１２・・バック本体、１４・・裏地、１６・・ファスナ、１８・・内ポケット、１９・・芯地、２０・・スキミング防止シート
【図１】
0003134895.tif 000003
【図２】
0003134895.tif 000004